【事件の表示】
　特願２０００−１４１１３４「レンタル記憶領域提供サービス装置およびその方法」拒絶査定不服審判事件〔平成１３年１１月２２日出願公開、特開２００１−３２５０３６、請求項の数（７）〕について、次のとおり審決する。
【結　論】
　原査定を取り消す。
　本願の発明は、特許すべきものとする。
【理　由】
１．手続の経緯
　本願は、平成１２年５月１５日の出願であって、平成１６年２月２日付けで最後の拒絶理由が通知され、同年４月６日付けで手続補正がなされたものの、同年６月３日付けでこの手続補正は却下され、同日付けで拒絶査定がなされた。
　その後、同年７月８日に拒絶査定不服審判請求がなされるとともに手続補正がなされ、平成１８年１１月１３日付けで拒絶理由が通知され、同年１２月６日付けで手続補正がなされた。その後、平成１９年２月２３日付けで最後の拒絶理由が通知され、同年４月９日付けで手続補正がなされたものである。
　
２．補正の適否
　平成１９年４月９日付けの手続補正は、平成１８年１２月６日付けの手続補正により補正された特許請求の範囲を次のように補正している。
　
  「【請求項１】　レンタル記憶領域と、ユーザ端末毎に割当てられる仮パスワードおよび仮登録番号を含む端末情報を記憶する端末情報記憶領域と、前記ユーザ端末のインターネット接続を支援する制御プログラムを有するサーバが、通信回線を介して複数の前記ユーザ端末と接続するレンタル記憶領域提供サービス装置であって、
　初期基本ソフトに記憶された仮パスワードおよび仮登録番号のインターネット接続情報を前記ユーザ端末から前記通信回線を介して受信し、前記端末情報と一致したとき前記制御プログラムが前記ユーザ端末をインターネット接続し、前記サーバが決定する正式登録番号を前記ユーザ端末側にメッセージ表示させ、前記正式登録番号を前記端末情報記憶領域およびユーザ端末側のインターネット接続情報に重ねて記憶し、前記サーバのハードディスクのレンタル記憶領域を前記正式登録番号に割当て前記ユーザ端末の外部記憶領域として設定する制御手段を備えるレンタル記憶領域提供サービス装置。
　　【請求項２】　前記制御手段は、前記通信回線を介して前記ユーザ端末を前記レンタル記憶領域へ接続完了した後、前記通信回線を介して前記ユーザ端末へアプリケーション記憶領域に記憶するアプリケーション・ソフトウエアのインストールを開始し、前記アプリケーション・ソフトウエアのインストールが正常に終了したと判断した場合、前記ユーザ端末を一旦シャットダウンさせ所定の時間経過後に前記ユーザ端末を立ち上げ、前記インストールを完了させる自動インストール支援制御プログラムをさらに実行する請求項１に記載のレンタル記憶領域提供サービス装置。
　　【請求項３】　前記各レンタル記憶領域は、異なる複数の種類の情報を記憶する種類別レンタル記憶領域に分割され、前記制御プログラムは前記ユーザ端末に前記通信回線を介して前記種類別レンタル記憶領域のメニューを表示し、前記ユーザ端末側から前記通信回線を介してレンタル指定された種類の前記種類別レンタル記憶領域を用意する、請求項１に記載のレンタル記憶領域提供サービス装置。
　　【請求項４】　前記制御プログラムは、前記ユーザ端末から前記通信回線を介した指示により、または前記レンタル記憶領域が限界に達した場合に新たな記憶領域を獲得する、請求項１に記載のレンタル記憶領域提供サービス装置。
　　【請求項５】　前記制御プログラムは、前記種類別レンタル記憶領域に各種類別の関連情報へリンクするリンク情報を記憶する、請求項３に記載のレンタル記憶領域提供サービス装置。
　　【請求項６】　レンタル記憶領域と、ユーザ端末毎に割当てられる仮パスワードおよび仮登録番号を含む端末情報を記憶する端末情報記憶領域と、前記ユーザ端末のインターネット接続を支援する制御プログラムを有するサーバが、通信回線を介して複数の前記ユーザ端末と接続するレンタル記憶領域提供サービス方法であって、
　初期基本ソフトに記憶された仮パスワードおよび仮登録番号のインターネット接続情報を前記ユーザ端末から前記通信回線を介して受信し、前記端末情報と一致したとき制御手段が前記制御プログラムを動作させ前記ユーザ端末をインターネット接続し、前記サーバが決定する正式登録番号を前記ユーザ端末側にメッセージ表示させ、前記正式登録番号を前記端末情報記憶領域および前記ユーザ端末に重ねて記憶し、前記サーバのハードディスクのレンタル記憶領域を前記正式登録番号に割当て前記ユーザ端末の外部記憶領域として設定するレンタル記憶領域提供サービス方法。
　　【請求項７】　前記制御手段は、前記通信回線を介して前記ユーザ端末を前記レンタル記憶領域へ接続完了した後、前記通信回線を介して前記ユーザ端末へアプリケーション記憶領域に記憶するアプリケーション・ソフトウエアのインストールを開始し、前記アプリケーション・ソフトウエアのインストールが正常に終了したと判断した場合、前記ユーザ端末を一旦シャットダウンさせ所定の時間経過後に前記ユーザ端末を立ち上げ、前記インストールを完了させる自動インストール支援制御プログラムをさらに実行する請求項６に記載のレンタル記憶領域提供サービス方法。」
　
　上記補正が最後の拒絶理由通知により指定された期間における特許請求の範囲についての特許法第１７条の２第４項の規定に適合するかどうかについて検討する。
　本件補正により特許請求の範囲の請求項の数は８から７に減じられているが、これは本件補正により補正前の特許請求の範囲の請求項６を削除したことによるものであるから、補正前の請求項６に対する本件補正は請求項の削除を目的としたものである。
　次に補正前の特許請求の範囲の請求項１，７に対する本件補正を検討すると、本件補正による特許請求の範囲の請求項１，６に対する補正事項は、次のとおりである。
　
「初期基本ソフトに記憶された仮パスワードおよび仮登録番号のインターネット接続情報を前記ユーザ端末から前記通信回線を介して受信し、前記端末情報と一致したとき前記制御プログラムが前記ユーザ端末をインターネット接続し、前記サーバが決定する正式登録番号を前記ユーザ端末側にメッセージ表示させ、前記正式登録番号を前記端末情報記憶領域およびユーザ端末側のインターネット接続情報に重ねて記憶し、前記サーバのハードディスクのレンタル記憶領域を前記正式登録番号に割当て前記ユーザ端末の外部記憶領域として設定する」
　
　上記補正事項は、当審からの最後の拒絶理由に示された「ユーザ端末が初めて起動されたことを初期基本ソフトがどのようにして認識するのか判然としない。」および「仮登録番号で割当てられた前記レンタル記憶領域に接続する点は、出願当初の明細書または図面に記載された事項ではなく、また、明細書の記載から自明なことでもない。」という指摘に対して、初期基本ソフトの意味と、レンタル記憶領域に対する割り当てに関する事項を明確にするためのものであり、明りょうでない記載の釈明に該当する。
　また、上記補正事項は、願書に最初に添付した明細書の【００１０】【００２６】【００３０】【００３１】及び図５に記載されており、願書に最初に添付した明細書又は図面に記載した事項の範囲内のものである。
　
　したがって、本件補正は、特許法第１７条の２第４項第１号及び第４号に規定する補正の目的に適合するものである。
　
３．本願発明 
　平成１９年４月９日付けの手続補正は上記のとおり適法なものなので、その請求項１−７に係る発明は、上記手続補正書により補正された明細書及び図面の記載からみて、特許請求の範囲の請求項１−８に記載されたとおりのものである。
　
４．引用文献
　平成１９年２月２３日付けの拒絶の理由に引用された、始めたい・始めたばかりの人必携初心者に贈るカンペキＱ＆Ａブック，Ｍａｃ　Ｆａｎ　ｉｎｔｅｒｎｅｔ，株式会社毎日コミュニケーションズ，２０００年　５月　１日，第５巻　第５号，ｐ１０７−１０９（以下、「引用文献１（１）」という。）には、図面と共に以下の事項が記載されている。
　
Ａ．「１５分の秘密は起動時に現れる
ｉＭａｃ，ｉＢｏｏｋを買って最初に電源をいれると、画面いっぱいにＴＶＣＭのようにｉＭａｃやｉＢｏｏｋが踊り、なにが始まったかと驚かされる。これこそが初心者でも１５分でインターネットにつながるためのミソ、「セットアップアシスタント」だ。画面の指示に従っていくだけで、基本的な項目の設定から、インターネット接続のための設定までができてしまう。インターネット関連の設定画面の始まりは図２。初めてパソコンを買ったという人は、プロバイダに入っていないだろうから、「無料で・・・・」の方を選ぶ。すると「インターネットの無料試用」画面が現れ、作業を続けていけば、日本テレコムの運営する「ＯＤＮ」というプロバイダに登録でき、１ヶ月間無料でインターネットを試せるというわけだ。ＯＤＮは月額１９５０円の定額料金（時間数に関係なく使える。通話料は別）でホームページを見たり、電子メールを利用できるプロバイダ。ホームページを作りたい人は別料金だ。１ヶ月を過ぎると手続きなしに正式入会となる。・・・。なお、ここでもらえるメールアドレスやパスワードは自動的に決まるが、あとから自分の好きなものに変更することができる。」（ｐ１０９　右欄１行〜２６行）
　
Ｂ．「セットアップアシスタントは、通常の電話回線（アナログ回線）と内蔵モデムを使って設定するようになっている。」（ｐ１０９　左下囲み記事　８行〜９行）
　
　上記Ａの記載によれば、初めてパソコンを買った人が「セットアップアシスタント」のインターネット関連の設定画面の指示に従って作業を行うことによりプロバイダに登録できるから、プロバイダは「セットアップアシスタント」による作業に応答してｉＭａｃ，ｉＢｏｏｋをインターネット接続する機能を有している。
　また、上記Ａには、「なお、ここでもらえるメールアドレスやパスワードは自動的に決まる」と記載されており、プロバイダが決定する正式のインターネット接続のための情報がｉＭａｃ、ｉＢｏｏｋに送られていることになる。
　また、プロバイダはインターネット接続したパソコンに各種のサービスを提供するものである。
　
　以上の記載から、引用文献１（１）には次の発明（以下、「引用発明」という。）が記載されている。
　
　電話回線に接続されているｉＭａｃ、ｉＢｏｏｋを各種サービスを提供するプロバイダに接続するために、ユーザに基本的な項目の入力をさせるだけでインターネット接続の設定を行うセットアップアシスタントを有するｉＭａｃ、ｉＢｏｏｋと、前記セットアップアシスタントにユーザが入力した基本的な項目に応答してｉＭａｃ，ｉＢｏｏｋをインターネット接続する機能及びプロバイダが決定する正式のインターネット接続のための情報をｉＭａｃ、ｉＢｏｏｋに送る機能を有し、正式のインターネット接続のための情報により各種サービスを提供するプロバイダからなるシステム
　
　また、平成１９年２月２３日付の拒絶の理由に引用された、３分間でわかるアップルの新サービスｉＴｏｏｌｓ活用のすべて，Ｍａｃ　Ｆａｎ　ｉｎｔｅｒｎｅｔ，株式会社毎日コミュニケーションズ，２０００年　５月　１日，第５巻　第５号，ｐ９２−９７（以下、「引用文献１（２）」という。）には、図面と共に以下の事項が記載されている。
　
Ｃ．「Ｍａｃｉｎｔｏｓｈユーザーならばだれでも持ちたい「＠ｍａｃ．ｃｏｍ」の提供や、アップルのインターネットサーバを２０ＭＢ分使える「ｉＤｉｓｋ」、手軽にホームページサービス等がラインナップされている。」（ｐ９２　７行〜１０行）
　
Ｄ．「ｉＴｏｏｌｓを利用するには、まずユーザー登録が必要になる。登録を行うとｉＴｏｏｌｓを利用するためのＩＤとパスワードが入手でき、すぐにメールやｉＤｉｓｋなどのサービスが利用可能になる。登録確認用紙が来るまで待たされるなどということはない。登録ページの内容は英文、だが決して難しいものではない。オンラインサインアップでプロバイダなどの会員になったことがあるなら、見慣れた作業のはずだ。」（ｐ９２　１９行〜２４行）
　
Ｅ．「５．個人情報の登録
まずユーザーの国を選択する画面が表示されるので「Ｊａｐａｎ」を選び「Ｃｏｎｔｉｎｕｅ」をクリック。すると左図のページにジャンプするので、ここに個人情報を入力。・・・
６．アドレス、パスワードの登録
次にｉＴｏｏｌｓを利用する際の使用許諾文書が表示される。普通に利用するなら「Ａｃｃｅｐｔ」（同意）。その後、上図のページに入る。
「Ｍｅｍｂｅｒ　Ｎａｍｅ」は枠の中の候補から選ぶか、「ｏｒ　ｅｎｔｅｒ　ａｎｏｔｈｅｒ　ｍｅｍｂｅｒ　ｎａｍｅ」項目に３〜２０文字以内で入力する。・・・
７．登録成功！
ここでは「Ｏｕｔｌｏｏｋ　Ｅｘｐｒｅｓｓ　５．０」に対して「＠Ｍａｃ．ｃｏｍ」のアカウントを自動的に設定するか尋ねてくる。ただし日本語版Ｏｕｔｌｏｏｋ　Ｅｘｐｒｅｓｓ　５．０ではうまくいかないので、「Ｎｏ　Ｔｈａｎｋｓ」をクリック。」（ｐ９３　５．個人情報の登録〜７．登録成功！）
　
Ｆ．「ｉＤｉｓｋはアップルのインターネットサーバ上に、各ユーザー専用のディスクスペースが２０ＭＢ用意されているというもの。一般のプロバイダでもディスクサービスを無料提供するサービスはあるが、ｉＤｉｓｋの場合、Ｍａｃｉｎｔｏｓｈのフォルダを利用する感覚で手軽にディスクを利用できる。」（ｐ９５　２行〜６行）
　
Ｇ．「１．自分専用のディスクを開く
ｉＴｏｏｌｓトップページの「ｉＤｉｓｋ」の下にある「Ｇｏ」ボタンをクリックするとｉＤｉｓｋのページが開く。ｉＤｉｓｋには自分のディスクと、他人の公開フォルダを見る方法が用意されている。自分のディスクを開くには、「Ｏｐｅｎ　Ｍｙ　ｉＤｉｓｋ」をクリックする。作業的にはこれだけで、パスワードの入力や初期設定は必要ない。
２．デスクトップにアイコンが
「Ｏｐｅｎ　Ｍｙ　ｉＤｉｓｋ」をクリックすると、自分のメンバーネームの付いたアイコンがデスクトップ上に表示される。あとはハードディスクやＭＯなどと全く同じように利用できる。」（ｐ９５　１．自分専用のディスクを開く〜２．デスクトップにアイコンが）
　
　また、平成１９年２月２３日付けの拒絶の理由に引用された、導入編　初めての電子メール，基本から学ぶパソコン活用講座５〜電子メール編〜，日経ＢＰ社，１９９８年　８月　１日，ｐ５０−５３（以下、「引用文献２」という。）には、図面と共に以下の事項が記載されている。　
　
Ｈ「一方、ＩＤを取得するために必要なものは二つある。一つは、利用料金を決済するためのクレジットカードだ。クレジットカードの名義とＩＤの取得者は、同一でないと登録できない。二つめは、登録作業の際に利用する暗号である。ニフティでは「シリアルナンバー」と「アグリーメントナンバー」、ビッグローブでは「優待ＩＤ」と「仮パスワード」と呼んでいる。」（ｐ５１　第４欄４行〜ｐ５２　第１欄５行）
Ｉ「入力項目をホストコンピュータに送信するなどの処理が終わると、最後に自分のＩＤとパスワードが表示される。この時点で発行されるのは仮のパスワードで、後日郵送で、正式なパスワードが届く。」（ｐ５３　第４欄１行〜７行）
　
　また、平成１９年２月２３日付けの拒絶の理由で引用された、インターネットＡＳＣＩＩロムの使い方，インターネット　ＡＳＣＩＩ，株式会社アスキー，１９９９年　９月　１日，第４巻　第９号，ｐ２４６−２５４」（以下、「引用文献３」という。）には、図面と共に以下の事項が記載されている。
　
Ｊ「・・・。サインアップナビと簡単設定ナビが収録されており、最大で２５００円が割引される特別優待ＩＤが組み込まれています。・・・」（ｐ２５３　「特別優待ＩＤつきＢＩＧＬＯＢＥ」）
　
５．対比
　本願の請求項１に係る発明（以下、「本願発明」という。）と引用発明とを対比すると、
　引用発明における「セットアップアシスタント」「プロバイダ」「ｉＭａｃ、ｉＢｏｏｋ」「電話回線」は、それぞれ、本願発明における「初期基本ソフト」「サーバ」「ユーザ端末」「通信回線」に相当する。
　引用発明において「前記セットアップアシスタントによる作業に応答してｉＭａｃ，ｉＢｏｏｋをインターネット接続する機能及び正式のインターネット接続のための情報をｉＭａｃ、ｉＢｏｏｋに送る機能」は、プログラムによって実現されていることは明らかであるから、引用発明のプロバイダは、本願発明における「ユーザ端末のインターネット接続を支援する制御プログラム」を有するものである。
　引用発明の「セットアップアシスタントによる基本的な項目に応答してｉＭａｃ，ｉＢｏｏｋをインターネット接続する機能」と本願発明の「インターネット接続情報を前記ユーザ端末から前記通信回線を介して受信し、前記端末情報と一致したとき前記制御プログラムが前記ユーザ端末をインターネット接続」することとは、ユーザ端末から受信する情報に基づいてサーバがユーザ端末をインターネット接続する点で共通している。
　引用発明における「プロバイダが決定する正式のインターネット接続のための情報」は、本願発明における「サーバが決定する正式登録番号」と実質的に同等のものである。
　また、引用発明の「プロバイダからなるシステム」は、電話回線を介して「ｉＭａｃ、ｉＢｏｏｋ」に各種のサービスを提供するものであるから、本願発明の「サービス装置」と言ってよいものである。
　
　よって、本願発明と引用発明とは、
　
　ユーザ端末のインターネット接続を支援する制御プログラムを有するサーバが、通信回線を介して複数の前記ユーザ端末にサービスを提供するサービス装置であって、
　前記サーバは、ユーザ端末から受信する情報に基づいてユーザ端末をインターネット接続し、前記サーバが決定する正式登録番号を前記ユーザ端末に送り、正式登録番号に基づいてユーザ端末に各種のサービスを提供するサービス装置
　
である点で一致し、次の点で相違する。
　
相違点１
　サーバの提供するサービスが、本願発明では、サーバのハードディスクのレンタル記憶領域を正式登録番号に割当ててユーザ端末の外部記憶領域として設定するものであるのに対して、引用発明ではサービスの対象が特定されていない点
　
相違点２
　サーバがユーザ端末をインターネット接続する手法が、本願発明では、初期基本ソフトに記憶された仮パスワードおよび仮登録番号のインターネット接続情報を前記端末情報と一致をみるものであるのに対し、引用発明では、セットアップアシスタントにユーザが入力した基本的な項目に応答してはいるが、どのような処理をしているか不明である点
　
相違点３
　本願発明では、サーバが決定する正式登録番号をユーザ端末側にメッセージ表示させるものであるのに対し、引用発明ではどのように行われるのか明記されていない点
　
相違点４
　本願発明では、サーバがユーザ端末毎に割当てられる仮パスワードおよび仮登録番号を含む端末情報を記憶する端末情報記憶領域を有し、正式登録番号を前記端末情報記憶領域およびユーザ端末側のインターネット接続情報に重ねて記憶しているのに対し、引用発明では正式登録番号に対しどのような処理が行われるか不明である点
　
６．検討
相違点１について
　引用文献１（２）には、「ｉＤｉｓｋはアップルのインターネットサーバ上に、各ユーザー専用のディスクスペースが２０ＭＢ用意されているというもの。一般のプロバイダでもディスクサービスを無料提供するサービスはあるが、ｉＤｉｓｋの場合、Ｍａｃｉｎｔｏｓｈのフォルダを利用する感覚で手軽にディスクを利用できる。」と記載されていることから、プロバイダで提供するサーバのサービスとしてハードデイスクの記憶領域をユーザ端末の外部記憶領域として設定することは普通に行っていることにすぎない。したがって、相違点１を格別のものと言うことはできない。
　
相違点２について
　引用文献２に「ＩＤを取得するために必要なものは二つある。一つは、利用料金を決済するためのクレジットカードだ。クレジットカードの名義とＩＤの取得者は、同一でないと登録できない。二つめは、登録作業の際に利用する暗号である。ニフティでは「シリアルナンバー」と「アグリーメントナンバー」、ビッグローブでは「優待ＩＤ」と「仮パスワード」と呼んでいる。」と記載されているように、サインアップの際にプロバイダが、パソコン（ｉＭａｃ、ｉＢｏｏｋ）から登録作業の際に利用する暗号である「優待ＩＤ」や「仮パスワード」を受け取ることは普通に行われていることである。また、引用文献３に示されるように、サインアップナビに「特別優待ＩＤ」が組み込まれているものも存在する。従って、セットアップアシスタントに登録作業の際に利用する暗号である「優待ＩＤ」や「仮パスワード」を組み込むことに特段の困難性は認められない。また、ユーザ端末から送られるＩＤやパスワードについてサーバで照合を取ることは当然の処理である。したがって、相違点２を格別のものと言うことはできない。
　
相違点３について
　引用文献２には「入力項目をホストコンピュータに送信するなどの処理が終わると、最後に自分のＩＤとパスワードが表示される。」と記載されているように、サインアップにおいてホストコンピュータ（プロバイダ）から送られてきたＩＤやパスワードを表示することは通常行われていることである。したがって、相違点３を格別のものと言うことはできない。
　
相違点４について
　本願発明において、サーバの有する端末情報記憶領域には、ユーザ端末がインターネット接続される以前からユーザ端末毎に割り当てられた仮パスワードおよび仮登録番号を含む端末情報が記憶されている。これに対し、引用文献２，３に示される「優待ＩＤ］と「仮パスワード」は端末側の設定プログラムに含まれているものであり、これらはサーバ側で照合されるものではあるから、サーバ側では照合対象となる「優待ＩＤ］と「仮パスワード」を有するとは言えるが、サーバ側にインターネット接続前の「優待ＩＤ］と「仮パスワード」が
ユーザ端末毎
インターネット接続する前にユーザ端末毎に仮登録番号を記憶する領域
　
　よって、本願発明が引用文献１−３から容易に発明することができたものということはできない。
　請求項２−５に係る発明は、請求項１に係る発明を更に限定するものであり、また、請求項６に係る発明は、請求項１に係る発明を「方法発明」として記載したものであり、まあ請求項７に係る発明は、請求項６に係る発明を更に限定するものであるから、上記と同様の理由により引用文献１−３から容易に発明をすることができたものとすることはできない。
　
７．むすび
　以上のとおりであるから、本願発明は、特許法第２９条第２項の規定により特許を受けることができないとした原査定の判断は妥当でない。
　また、他に本願を拒絶すべき理由を発見しない。
　よって、結論のとおり審決する。